(57)【要約】【課題】ディスクに浮上力が付与されるのを効果的に抑制することが可能なディスク装置を提供する。【解決手段】この光ディスク装置１は、光ディスク１００を保持するとともに、保持した光ディスク１００を回転するディスク回転部４０と、光ディスク１００がディスク回転部４０に保持されている場合に、光ディスク１００の表面と所定の間隔を隔てて光ディスク１００の表面を覆うように設けられたトップカバー３０とを備える。トップカバー３０は、平面的に見てディスク回転部４０の回転中心軸Ｌ側の部分から半径方向の外側に向かって広がる一対の側辺部（壁部３３ａおよび端部３３ｃ）と外周辺部３３ｄとを含む略扇形形状を有するとともに、トップカバー３０の平板部３１の下面３１ａから光ディスク１００側に突出する突出部３３を含む。【選択図】図２
2011165284.tif 000002
【特許請求の範囲】
【請求項１】
ディスクを保持するとともに、保持した前記ディスクを回転する回転部と、
前記ディスクが前記回転部に保持されている場合に、前記ディスクの表面と所定の間隔を隔てて前記ディスクの表面を覆うように設けられたカバー部材とを備え、
前記カバー部材は、平面的に見て前記回転部の回転中心軸側の部分から半径方向の外側に向かって広がる一対の側辺部と外周辺部とを含む略扇形形状を有するとともに、前記カバー部材の下面から前記ディスク側に突出する突出部を含む、ディスク装置。
【請求項２】
前記突出部は、前記カバー部材の下面から前記ディスク側に突出する厚みを前記回転部の回転方向に沿って変化させることにより前記ディスクの表面に対して傾斜するように構成されている、請求項１に記載のディスク装置。
【請求項３】
前記突出部は、前記カバー部材の下面から前記ディスク側に突出する厚みが前記回転部の回転方向に沿って徐々に小さくなるように傾斜されている、請求項２に記載のディスク装置。
【請求項４】
前記突出部は、前記回転部の回転方向と反対方向側の側辺部に形成された壁部と、前記壁部から前記回転中心軸を中心とする前記回転部の回転方向側に向かうにしたがって前記ディスク側に突出する厚みが小さくなる傾斜部とを有する、請求項３に記載のディスク装置。
【請求項５】
前記突出部の傾斜部の前記回転部の回転方向側の側辺部は、前記カバー部材の下面の表面に一致するように構成されている、請求項４に記載のディスク装置。
【請求項６】
前記突出部は、複数設けられており、
前記複数の突出部は、平面的に見て、前記回転部の回転中心軸を中心とした中心対称になるように配置されている、請求項１〜５のいずれか１項に記載のディスク装置。
【請求項７】
複数の前記突出部は、互いに所定の間隔を隔てて設けられており、
前記回転部の回転中心軸を中心とする前記回転部の回転方向の前記突出部の幅は、同じ半径位置での前記所定の間隔よりも大きくなるように構成されている、請求項６に記載のディスク装置。
【請求項８】
前記カバー部材は、前記回転部の回転中心軸を中心とする円形状を有するとともに、前記カバー部材の下面から前記ディスク側に突出する円状突出部をさらに含み、
前記略扇形形状の突出部は、平面的に見て前記回転部の回転中心軸を中心として半径方向の外側に向かって広がる扇形から、前記円状突出部および前記円状突出部近傍の部分を取り除いた形状を有するように構成されている、請求項１〜７のいずれか１項に記載のディスク装置。
【発明の詳細な説明】
【技術分野】
【０００１】
この発明は、ディスク装置に関し、特に、保持したディスクを回転する回転部と、回転部が保持したディスクを覆うカバー部材とを備えるディスク装置に関する。
【背景技術】
【０００２】
従来、保持したディスクを回転する回転部と、回転部が保持したディスクを覆うカバー部材とを備えるディスク装置が知られている（たとえば、特許文献１参照）。
【０００３】
上記特許文献１には、ディスクを装着可能なスピンドルモータ（回転部）と、ディスクがスピンドルモータに装着されている場合に、ディスクの表面と所定の間隔を隔ててディスクの表面を覆うように設けられたトップカバー（カバー部材）とを備えるディスク駆動装置（ディスク装置）が開示されている。上記特許文献１によるディスク駆動装置のトップカバーは、平面的に見てスピンドルモータの回転中心軸側の部分から半径方向の外側に向かって延びる細長形状（長方形状）の突出部を有する。この突出部は、ディスクがスピンドルモータにより回転された場合に、ディスクとトップカバーとの間の空間の突出部近傍の領域において圧力（気圧）が小さくなるのを抑制する機能を有する。これにより、上記特許文献１によるディスク駆動装置は、ディスクとトップカバーとの間の圧力が小さくなることに起因して、ディスクに浮上力が付与されるのを抑制することが可能なように構成されている。
【先行技術文献】
【特許文献】
【０００４】
【特許文献１】特開２００１−２２９６６１号公報
【発明の概要】
【発明が解決しようとする課題】
【０００５】
しかしながら、上記特許文献１によるディスク駆動装置（ディスク装置）では、突出部の形状が細長形状であるため、突出部のディスクと対向する表面の表面積が小さい。このため、ディスクとトップカバーとの間の空間において、圧力（気圧）を小さくするのを十分に抑制することができないと考えられる。その結果、ディスクに浮上力が付与されるのを効果的に抑制できないという問題点があると考えられる。
【０００６】
この発明は、上記のような課題を解決するためになされたものであり、この発明の１つの目的は、ディスクに浮上力が付与されるのを効果的に抑制することが可能なディスク装置を提供することである。
【課題を解決するための手段および発明の効果】
【０００７】
この発明の一の局面によるディスク装置は、ディスクを保持するとともに、保持したディスクを回転する回転部と、ディスクが回転部に保持されている場合に、ディスクの表面と所定の間隔を隔ててディスクの表面を覆うように設けられたカバー部材とを備え、カバー部材は、平面的に見て回転部の回転中心軸側の部分から半径方向の外側に向かって広がる一対の側辺部と外周辺部とを含む略扇形形状を有するとともに、カバー部材の下面からディスク側に突出する突出部を含む。
【０００８】
この一の局面によるディスク装置では、上記のように、カバー部材に、平面的に見て回転部の回転中心軸側の部分から半径方向の外側に向かって広がる一対の側辺部と外周辺部とを含む略扇形形状を有するとともに、カバー部材の下面からディスク側に突出する突出部を設けることによって、突出部の形状を半径方向の外側に向かって広がる略扇形形状にすることにより、突出部の形状が細長形状である場合とは異なり、突出部の表面積を容易に大きくすることができる。また、略扇形形状の外周辺部も突出させることができる。これらにより、ディスクの表面とカバー部材の下面との間の空間の圧力の低下を効果的に抑制することができるので、ディスクに浮上力が付与されるのを効果的に抑制することができる。このディスクに浮上力が付与されるのを効果的に抑制することができるという効果は、後述する発明者が行ったシミュレーションにより確認済である。
【０００９】
上記一の局面によるディスク装置において、好ましくは、突出部は、カバー部材の下面からディスク側に突出する厚みを回転部の回転方向に沿って変化させることによりディスクの表面に対して傾斜するように構成されている。このように構成すれば、ディスクの表面に対して傾斜する突出部により、ディスクが回転された場合におけるディスクと共に回転される空気の流れを変化させることができる。これにより、ディスクの表面とカバー部材の下面との間の空間の空気の流れが加速するのを抑制することができるので、ディスクの表面とカバー部材の下面との間の空間の空気の流れが速くなることに起因して発生する圧力の低下を抑制することができる。
【００１０】
上記ディスク側に突出する厚みが変化される突出部を有する構成において、好ましくは、突出部は、カバー部材の下面からディスク側に突出する厚みが回転部の回転方向に沿って徐々に小さくなるように傾斜されている。このように構成すれば、突出部が回転部の回転方向とは反対方向に沿ってカバー部材の下面からディスク側に突出する厚みが徐々に小さくなるように傾斜される構成と比べて、ディスクに浮上力が付与されるのをより抑制することができる。このディスクに浮上力が付与されるのをより抑制することができるという効果は、後述する発明者が行ったシミュレーションにより確認済である。
【００１１】
上記回転部の回転方向に沿ってディスク側に突出する厚みが徐々に小さくなる突出部を有する構成において、好ましくは、突出部は、回転部の回転方向と反対方向側の側辺部に形成された壁部と、壁部から回転中心軸を中心とする回転部の回転方向側に向かうにしたがってディスク側に突出する厚みが小さくなる傾斜部とを有する。このように構成すれば、ディスクが回転された場合におけるディスクと共に回転される空気の流れを突出部の壁部に当てることができるので、壁部近傍において空気の流れを遅くすることができる。これにより、壁部近傍のディスクの表面とカバー部材の下面との間の空間の空気の流れが速くなることに起因して発生する圧力の低下をより効果的に抑制することができる。
【００１２】
この場合において、好ましくは、突出部の傾斜部の回転部の回転方向側の側辺部は、カバー部材の下面の表面に一致するように構成されている。このように構成すれば、突出部の傾斜部の回転部の回転方向側の側辺部と、カバー部材の下面の表面との境界領域において段差が発生しないので、ディスクの回転方向側に隣接する突出部の壁部に当たった空気をディスクの回転方向とは逆方向に向かって回転方向側の段差のない側辺部から傾斜部に沿ってスムーズに移動させることができる。これにより、ディスクの回転方向とは逆方向に向かって移動される空気により、ディスク近傍の空気の流れが速くなるのを抑制することができる。
【００１３】
上記一の局面によるディスク装置において、好ましくは、突出部は、複数設けられており、複数の突出部は、平面的に見て、回転部の回転中心軸を中心とした中心対称になるように配置されている。このように構成すれば、回転部の回転中心軸を中心とした中心対称に配置された複数の突出部により、ディスクの表面とカバー部材の下面との間の空間の圧力が小さくなるのを中心対称の部分においてバランスよく均等に抑制することができる。
【００１４】
この場合において、好ましくは、複数の突出部は、互いに所定の間隔を隔てて設けられており、回転部の回転中心軸を中心とする回転部の回転方向の突出部の幅は、同じ半径位置での所定の間隔よりも大きくなるように構成されている。このように構成すれば、回転部の回転中心軸を中心とする回転部の回転方向の突出部の幅を、同じ半径位置での所定の間隔よりも大きくなるように構成することにより、突出部の表面積を容易により大きくすることができる。
【００１５】
上記一の局面によるディスク装置において、好ましくは、カバー部材は、回転部の回転中心軸を中心とする円形状を有するとともに、カバー部材の下面からディスク側に突出する円状突出部をさらに含み、略扇形形状の突出部は、平面的に見て回転部の回転中心軸を中心として半径方向の外側に向かって広がる扇形から、円状突出部および円状突出部近傍の部分を取り除いた形状を有するように構成されている。このように構成すれば、たとえば、回転するディスクが回転中心近傍に穴を有するディスクである場合に、突出部をディスクの回転中心近傍の穴部分を除いた表面と対応する部分で突出させることができるので、突出部の表面積を大きくしながら、突出部をディスクの回転中心近傍の穴部分を除いた表面と対応する部分で効率的に突出させることができる。
【図面の簡単な説明】
【００１６】
【図１】本発明の第１実施形態によるディスク装置の構成を説明するための分解斜視図である。
【図２】図１に示したディスク装置のトップカバーの構成を説明するための斜視図である。
【図３】図１に示したディスク装置のトップカバーの構成を説明するための平面図である。
【図４】図３の２００−２００線に沿った断面図である。
【図５】本発明の第２実施形態によるディスク装置のトップカバーの構成を説明するための斜視図である。
【図６】光ディスクが回転されている際の光ディスク近傍の空気の流れのシミュレーションを説明するための図３の３００−３００線に沿った断面図である。
【図７】本発明の比較例によるディスク装置のトップカバーの構成を示した斜視図である。
【図８】本発明の第１実施例によるトップカバーのモデルを用いた場合における光ディスクの上側の表面近傍の圧力の分布を示した図である。
【図９】本発明の第２実施例によるトップカバーのモデルを用いた場合における光ディスクの上側の表面近傍の圧力の分布を示した図である。
【図１０】本発明の第１実施例および第２実施例の比較例によるトップカバーのモデルを用いた場合における光ディスクの上側の表面近傍の圧力の分布を示した図である。
【発明を実施するための形態】
【００１７】
以下、本発明を具体化した実施形態を図面に基づいて説明する。
【００１８】
（第１実施形態）
図１〜図４を参照して、本発明の第１実施形態による光ディスク装置１の構成について説明する。なお、第１実施形態では、光ディスク装置１は、本発明の「ディスク装置」の一例である。
【００１９】
図１に示すように、本発明の第１実施形態による光ディスク装置１は、下側フレーム１０と、下側フレーム１０に収容されるシャーシ２０と、下側フレーム１０を覆うように配置可能な樹脂製のトップカバー３０とを備えている。なお、トップカバー３０は、本発明の「カバー部材」の一例である。また、光ディスク装置１は、さらに、シャーシ２０に固定されたディスク回転部４０と、ディスク回転部４０の側方に設けられたＤＶＤディスクやＢｌｕ−ｒａｙディスクなどの光ディスク１００（図４参照）に格納された情報を読み取る光学的ピックアップ部５０とを備えている。なお、ディスク回転部４０は、本発明の「回転部」の一例である。
【００２０】
下側フレーム１０は、上方が開放するように構成されている。また、下側フレーム１０には、シャーシ２０が複数のねじ部材２１により固定されている。また、シャーシ２０は、板金により形成されている。このシャーシ２０の上側には、シャーシ２０の長手方向（矢印Ｘ１方向および矢印Ｘ２方向）に沿って一対のガイド軸２２および２３が固定されている。これら一対のガイド軸２２および２３には、ガイド軸２２および２３に沿って矢印Ｘ１方向および矢印Ｘ２方向に移動可能に光学的ピックアップ部５０が係合されている。
【００２１】
また、シャーシ２０に固定されたディスク回転部４０は、光ディスク１００（図４参照）を保持可能に構成されている。また、ディスク回転部４０は、光ディスク１００を保持した際に、回転中心軸Ｌを中心とした光ディスク１００をＲ１方向に回転させることが可能なように構成されている。具体的には、ディスク回転部４０は、光ディスク１００を載置可能なディスク載置部４１と、載置された光ディスク１００を係合するチャック部４２とを含んでいる。ディスク載置部４１およびチャック部４２は、回転中心軸Ｌを中心にＲ１方向に回転可能に構成されている。また、ディスク載置部４１は、光ディスク１００の読取面側の表面と面接触するように構成されており、光ディスク１００が回転された場合にも光ディスク１００の表面が密着されることにより、安定した状態で光ディスク１００を保持するように構成されている。また、チャック部４２は、ディスク載置部４１に載置された光ディスク１００をディスク載置部４１側（矢印Ｚ２方向側）に付勢した状態で係合するように構成されている。これにより、光ディスク１００が回転された場合において光ディスク１００に浮上力が生じた場合にも、チャック部４２により、光ディスク１００がディスク回転部４０から離間するのを抑制することが可能である。
【００２２】
また、光学的ピックアップ部５０は、ディスク回転部４０に装着された光ディスク１００（図４参照）の表面（読取面）に対してレーザ光を照射することにより、光ディスク１００の記録再生を行うように構成されている。そして、光学的ピックアップ部５０は、ガイド軸２２および２３に沿って矢印Ｘ１方向または矢印Ｘ２方向に移動されることにより、回転される光ディスク１００の読取面の適切な位置に移動されるとともに、回転される光ディスク１００の読取面の適切な部分にレーザ光を照射することが可能なように構成されている。
【００２３】
また、トップカバー３０は、下側フレーム１０の上方を覆う平板部３１と、トップカバー３０を下側フレーム１０に嵌め込むための側壁部３２とを含んでいる。
【００２４】
ここで、第１実施形態では、図２および図３に示すように、トップカバー３０の平板部３１には、複数個（６個）の突起からなる突出部３３と、回転中心軸Ｌを中心とする円形状の突起からなる１つの円状突出部３４とが形成されている。これら突出部３３および円状突出部３４は、トップカバー３０が下側フレーム１０に嵌め込まれている場合における平板部３１のディスク回転部４０に装着されている光ディスク１００の上側（矢印Ｚ１方向側）の表面と対向する部分に設けられている。
【００２５】
また、第１実施形態では、図２および図４に示すように、複数個（６個）の突出部３３は、それぞれ、平板部３１の下面３１ａからディスク回転部４０（光ディスク１００）側（矢印Ｚ２方向側）に突出するように形成されている。また、複数個（６個）の突出部３３は、図３に示すように、それぞれ、平面的に見て、ディスク回転部４０の回転中心軸Ｌ側の部分から半径方向の外側に向かって広がる一対の側辺部と外周辺部とを含む略扇形形状を有している。具体的には、複数個（６個）の突出部３３は、それぞれ、平面的に見てディスク回転部４０の回転中心軸Ｌを中心として半径方向の外側に向かって広がる扇形から、円状突出部３４および円状突出部３４近傍の部分を取り除くことにより構成されている。
【００２６】
また、複数個（６個）の突出部３３は、平面的に見て、ディスク回転部４０の回転中心軸Ｌを中心とする中心対称に配置されている。また、隣り合う突出部３３は、互いに一定の間隔Ｄ１を隔てて設けられている。また、ディスク回転部４０の回転方向の突出部３３の幅Ｗは、同じ半径位置での上記一定の間隔Ｄ１よりも大きくなるように構成されている。
【００２７】
また、第１実施形態では、図２に示すように、複数個（６個）の突出部３３は、それぞれ、ディスク回転部４０の回転方向Ｒ１に沿って平板部３１の下面３１ａから光ディスク１００側（矢印Ｚ２方向側）に突出する厚みを変化させることにより傾斜するように構成されている。具体的には、突出部３３は、それぞれ、ディスク回転部４０の回転方向Ｒ１と反対方向Ｒ２側の側辺部に形成された壁部３３ａと、壁部３３ａから回転中心軸Ｌを中心とするディスク回転部４０の回転方向Ｒ１側に向かうにしたがって光ディスク１００側（矢印Ｚ２方向側）に突出する厚みが小さくなる傾斜部３３ｂと、傾斜部３３ｂのディスク回転部４０の回転方向Ｒ１側の側辺部に形成された端部３３ｃと、扇形の弧の部分に対応する外周辺部３３ｄとを含んでいる。つまり、突出部３３は、それぞれ、平板部３１の下面３１ａから光ディスク１００側（矢印Ｚ２方向側）に突出する厚みをディスク回転部４０の回転方向Ｒ１に沿って小さくさせることにより傾斜するように構成されている。なお、壁部３３ａおよび端部３３ｃは、本発明の「側辺部」の一例である。
【００２８】
また、突出部３３の壁部３３ａは、トップカバー３０の平板部３１の下面３１ａから平板部３１と略直交する方向に延びるように形成されている。つまり、壁部３３ａは、ディスク回転部４０により回転される光ディスク１００と共に回転される空気の流れの方向Ｒ１に対して略垂直になるように形成されている。これにより、光ディスク１００と共に回転される空気の流れのうち壁部３３ａと対応する部分の流れを塞き止めることが可能となるので、光ディスク１００と共に回転される空気の流れのうち壁部３３ａと対応する部分の流れが加速されるのを抑制することが可能となる。その結果、光ディスク１００の表面とトップカバー３０の平板部３１の下面３１ａとの間の空間の空気の流れが速くなることに起因して発生する圧力の低下を抑制することが可能となる。なお、壁部３３ａの高さｈ（図４参照）は、約４ｍｍである。また、壁部３３ａと光ディスク１００の表面との間隔Ｄ２は、約２ｍｍである。
【００２９】
また、突出部３３の傾斜部３３ｂは、壁部３３ａの光ディスク１００側（矢印Ｚ２方向側）の端部と平板部３１とを接続するように形成されている。また、突出部３３の端部３３ｃは、トップカバー３０の平板部３１の下面３１ａの表面に一致するように構成されている。
【００３０】
また、突出部３３の外周辺部３３ｄは、平面的に見て回転中心軸Ｌを中心とした円弧状に延びるとともに、トップカバー３０の平板部３１の下面３１ａから平板部３１と略直交する方向に延びるように形成されている。また、外周辺部３３ｄの矢印Ｚ２方向の高さは、傾斜部３３ｂの傾斜と同様に、ディスク回転部４０の回転方向Ｒ１に沿って低くなるように構成されている。
【００３１】
第１実施形態では、上記のように、トップカバー３０に、平面的に見てディスク回転部４０の回転中心軸Ｌ側の部分から半径方向の外側に向かって広がる一対の側辺部（壁部３３ａおよび端部３３ｃ）と外周辺部３３ｄとを含む略扇形形状を有するとともに、トップカバー３０の平板部３１の下面３１ａから光ディスク１００側に突出する突出部３３を設けることによって、突出部３３の形状を半径方向の外側に向かって広がる略扇形形状にすることにより、突出部３３の形状が細長形状である場合とは異なり、突出部３３の表面積を容易に大きくすることができる。また、略扇形形状の外周辺部３３ｄも突出させることができる。これらにより、光ディスク１００の上側（矢印Ｚ１方向側）の表面とトップカバー３０の平板部３１の下面３１ａとの間の空間の圧力の低下を効果的に抑制することができるので、光ディスク１００に浮上力が付与されるのを効果的に抑制することができる。この光ディスク１００に浮上力が付与されるのを効果的に抑制することができるという効果は、後述する発明者が行ったシミュレーションにより確認済である。
【００３２】
また、第１実施形態では、上記のように、突出部３３を、トップカバー３０の平板部３１の下面３１ａから光ディスク１００側（矢印Ｚ２方向側）に突出する厚みをディスク回転部４０の回転方向Ｒ１に沿って変化させることにより、光ディスク１００の上側（矢印Ｚ１方向側）の表面に対して傾斜するように構成することによって、光ディスク１００の表面に対して傾斜する突出部３３により、光ディスク１００が回転された場合における光ディスク１００と共に回転される空気の流れを変化させることができる。これにより、光ディスク１００の上側（矢印Ｚ１方向側）の表面とトップカバー３０の平板部３１の下面３１ａとの間の空間の空気の流れが加速するのを抑制することができるので、光ディスク１００の上側（矢印Ｚ１方向側）の表面とトップカバー３０の平板部３１の下面３１ａとの間の空間の空気の流れが速くなることに起因して発生する圧力の低下を抑制することができる。
【００３３】
また、第１実施形態では、上記のように、突出部３３を、トップカバー３０の平板部３１の下面３１ａから光ディスク１００側（矢印Ｚ２方向側）に突出する厚みがディスク回転部４０の回転方向Ｒ１に沿って徐々に小さくなるように傾斜させることによって、突出部３３がディスク回転部４０の回転方向Ｒ１とは反対方向Ｒ２に沿ってトップカバー３０の平板部３１の下面３１ａから光ディスク１００側（矢印Ｚ２方向側）に突出する厚みが徐々に小さくなるように傾斜される構成と比べて、光ディスク１００に浮上力が付与されるのをより抑制することができる。この光ディスク１００に浮上力が付与されるのを効果的に抑制することができるという効果は、後述する発明者が行ったシミュレーションにより確認済である。
【００３４】
また、第１実施形態では、上記のように、突出部３３に、ディスク回転部４０の回転方向Ｒ１と反対方向Ｒ２側の側辺部に形成された壁部３３ａと、壁部３３ａから回転中心軸Ｌを中心とするディスク回転部４０の回転方向Ｒ１側に向かうにしたがって光ディスク１００側（矢印Ｚ２方向側）に突出する厚みが小さくなる傾斜部３３ｂと設けることによって、光ディスク１００が回転された場合における光ディスク１００と共に回転される空気の流れを突出部３３の壁部３３ａに当てることができるので、壁部３３ａ近傍において空気の流れを遅くすることができる。これにより、壁部３３ａ近傍の光ディスク１００の上側（矢印Ｚ１方向側）の表面とトップカバー３０の平板部３１の下面３１ａとの間の空間の空気の流れが速くなることに起因して発生する圧力の低下をより効果的に抑制することができる。
【００３５】
また、第１実施形態では、上記のように、突出部３３の傾斜部３３ｂのディスク回転部４０の回転方向Ｒ１側の側辺部の端部３３ｃを、トップカバー３０の平板部３１の下面３１ａの表面に一致するように構成することによって、突出部３３の傾斜部３３ｂのディスク回転部４０の回転方向Ｒ１側の端部３３ｃとトップカバー３０の平板部３１の下面３１ａの表面との境界領域において段差が発生しないので、光ディスク１００の回転方向Ｒ１側に隣接する突出部３３の壁部３３ａに当たった空気を光ディスク１００の回転方向Ｒ１とは逆方向Ｒ２に向かって回転方向Ｒ１側の段差のない端部３３ｃから傾斜部３３ｂに沿ってスムーズに移動させることができる。これにより、光ディスク１００の回転方向Ｒ１とは反対方向Ｒ２に向かって移動される空気により、光ディスク１００近傍の空気の流れが速くなるのを抑制することができる。
【００３６】
また、第１実施形態では、上記のように、複数個（６個）の突出部３３を、平面的に見て、ディスク回転部４０の回転中心軸Ｌを中心とした中心対称になるように配置することによって、ディスク回転部４０の回転中心軸Ｌを中心とした中心対称に配置された複数個の突出部３３により、光ディスク１００の上側（矢印Ｚ方向側）の表面とトップカバー３０の平板部３１の下面３１ａとの間の空間の圧力が小さくなるのを中心対称の部分においてバランスよく均等に抑制することができる。
【００３７】
また、第１実施形態では、上記のように、ディスク回転部４０の回転中心軸Ｌを中心とするディスク回転部４０の回転方向Ｒ１の突出部３３の幅Ｗを、同じ半径位置での所定の間隔Ｄ１よりも大きくなるように構成することによって、ディスク回転部４０の回転中心軸Ｌを中心とするディスク回転部４０の回転方向Ｒ１の突出部３３の幅を、同じ半径位置での所定の間隔Ｄ１よりも大きくなるように構成することにより、突出部３３の傾斜部３３ｂの表面積を容易により大きくすることができる。
【００３８】
また、第１実施形態では、上記のように、略扇形形状の突出部３３を、平面的に見てディスク回転部４０の回転中心軸Ｌを中心として半径方向の外側に向かって広がる扇形から、円状突出部３４および円状突出部３４近傍の部分を取り除いた形状を有するように構成することによって、回転する光ディスク１００が回転中心軸Ｌ近傍に穴を有する光ディスク１００である場合に、突出部３３を光ディスク１００の回転中心軸Ｌ近傍の穴部分を除いた表面と対応する部分で突出させることができるので、突出部３３の表面積を大きくしながら、突出部３３を光ディスク１００の回転中心軸Ｌ近傍の穴部分を除いた表面と対応する部分で効率的に突出させることができる。
【００３９】
（第２実施形態）
次に、図５を参照して、本発明の第２実施形態による光ディスク装置について説明する。この第２実施形態では、平板部３１の下面３１ａから光ディスク１００側に突出する厚みをディスク回転部４０の回転方向Ｒに沿って小さくする突出部３３を設けた上記第１実施形態とは異なり、平板部１３１の下面１３１ａから光ディスク１００側に突出する厚みをディスク回転部４０の回転方向Ｒ１とは反対方向Ｒ２に沿って小さくする突出部１３３を設けた例について説明する。
【００４０】
第２実施形態による光ディスク装置では、図５に示すように、トップカバー１３０の複数個（６個）の突出部１３３は、それぞれ、ディスク回転部４０の回転方向Ｒ１側の側辺部に形成された壁部１３３ａと、壁部１３３ａから回転中心軸Ｌを中心とするディスク回転部４０の回転方向Ｒ１とは反対方向Ｒ２側に向かうにしたがって光ディスク１００側（矢印Ｚ２方向側）に突出する厚みが小さくなる傾斜部１３３ｂと、傾斜部１３３ｂのディスク回転部４０の回転方向Ｒ１側の側辺部に形成された端部１３３ｃと、扇形の弧の部分に対応する外周辺部１３３ｄとを含んでいる。つまり、突出部１３３は、それぞれ、平板部１３１の下面１３１ａから光ディスク１００側（矢印Ｚ２方向側）に突出する厚みをディスク回転部４０の回転方向Ｒ１の反対方向Ｒ２に沿って小さくさせることにより傾斜するように構成されている。なお、壁部１３３ａおよび端部１３３ｃは、本発明の「側辺部」の一例である。
【００４１】
また、突出部１３３の壁部１３３ａは、ディスク回転部４０により回転される光ディスク１００と共に回転される空気の流れの方向Ｒ１に対して略垂直になるように形成されている。また、突出部１３３の端部１３３ｃは、トップカバー１３０の平板部１３１の下面１３１ａの表面に一致するように構成されている。
【００４２】
また、突出部１３３の外周辺部１３３ｄは、平面的に見て回転中心軸Ｌを中心とした円弧状に延びるとともに、トップカバー１３０の平板部１３１の下面１３１ａから平板部１３１と略直交する方向に延びるように形成されている。また、外周辺部１３３ｄの矢印Ｚ２方向の高さは、傾斜部１３３ｂの傾斜と同様に、ディスク回転部４０の回転方向Ｒ１の反対方向Ｒ２に沿って低くなるように構成されている。
【００４３】
また、第２実施形態では、上記のように、突出部１３３を、トップカバー１３０の平板部１３１の下面１３１ａから光ディスク１００側（矢印Ｚ２方向側）に突出する厚みをディスク回転部４０の回転方向Ｒ１（反対方向Ｒ２）に沿って変化させることにより、光ディスク１００の上側（矢印Ｚ１方向側）の表面に対して傾斜するように構成することによって、光ディスク１００の表面に対して傾斜する突出部１３３により、光ディスク１００が回転された場合における光ディスク１００と共に回転される空気の流れを変化させることができる。これにより、光ディスク１００の上側（矢印Ｚ１方向側）の表面とトップカバー１３０の平板部１３１の下面１３１ａとの間の空間の空気の流れが加速するのを抑制することができるので、光ディスク１００の上側（矢印Ｚ１方向側）の表面とトップカバー１３０の平板部１３１の下面１３１ａとの間の空間の空気の流れが速くなることに起因して発生する圧力の低下を抑制することができる。
【００４４】
第２実施形態のその他の構成および効果は、上記第１実施形態と同様である。
【００４５】
次に、上記した第１および第２実施形態による光ディスク装置を用いることによる効果を確認するために行ったシミュレーション結果について、詳細に説明する。
【００４６】
図６は、光ディスク１００がディスク回転部４０の回転方向Ｒに回転されている際の光ディスク１００近傍の空気の流れをシミュレーションした結果を示した断面図である。
【００４７】
図６に示すように、光ディスク１００がディスク回転部４０により方向Ｒ１に回転されている際には、光ディスク１００の両方の表面近傍の空気が光ディスク１００の回転と共に方向Ｒ１に流れていることがわかる。その一方で、光ディスク１００の上側（矢印Ｚ１方向側）の表面とトップカバー３０の平板部３１の下面３１ａの表面との間の空間のうち、突出部３３の壁部３３ａの近傍部分では、光ディスク１００と共に回転される空気の流れが突出部３３の壁部３３ａに当たっていることがわかる。そして、壁部３３ａに当たった空気は、反転するとともに、光ディスク１００の回転方向Ｒ１とは反対方向Ｒ２に向かって傾斜部３３ｂに沿ってスムーズに移動されていることがわかる。上記のように、光ディスク１００の回転方向Ｒ１とは反対方向Ｒ２に向かって移動される空気により、光ディスク１００近傍の空気の流れが速くなるのを抑制することが可能になると考えられる。
【００４８】
ここで、図２、図５および図７〜図１０を参照して、略扇形形状の突出部を設けることによる光ディスクの浮上力の軽減効果をシミュレーションにより検証した結果について説明する。
【００４９】
このシミュレーションでは、図２に示した第１実施形態の構造に対応する第１実施例によるトップカバー３０、図５に示した第２実施形態の構造に対応する第２実施例によるトップカバー１３０および図７に示した比較例によるトップカバー２３０に対応する各モデルについて、ディスク回転部４０により回転される光ディスク１００に付与される浮上力のシミュレーションを行った。
【００５０】
このシミュレーションにおいては、図２に示した第１実施例によるトップカバー３０および図５に示した第２実施例によるトップカバー１３０のモデルは、それぞれ、上記第１実施形態および第２実施形態の構成と同様になるように設定した。また、図７に示す比較例によるトップカバー２３０のモデルでは、図７に示すように、平面的に見てディスク回転部４０の回転中心軸Ｌ側の部分から半径方向の外側に向かって延びる複数個（８個）の細長形状の突出部２３３を有するように設定した。また、突出部２３３は、それぞれ、平板部２３１の下面２３１ａからディスク回転部４０（光ディスク１００）側（矢印Ｚ２方向側）に突出するように設定した。また、複数個（８個）の突出部２３３の厚みは、平板部２３１と平行になるように設定した。
【００５１】
上記浮上力のシミュレーションの結果、第１実施例によるトップカバー３０のモデルでは、ディスク回転部４０により回転される光ディスク１００に付与される浮上力は０．４５５Ｎとなった。また、第２実施例によるトップカバー１３０のモデルでは、ディスク回転部４０により回転される光ディスク１００に付与される浮上力は０．５７Ｎとなるとともに、比較例によるトップカバー２３０のモデルでは、ディスク回転部４０により回転される光ディスク１００に付与される浮上力は０．７８Ｎとなった。つまり、上記第１実施例のモデルでは、光ディスク１００に付与される浮上力を最も低くすることができていることがわかる。また、第２実施例のモデルでは、比較例のモデルと比べて、光ディスク１００に付与される浮上力を低くすることができていることがわかる。
【００５２】
図８は、第１実施例によるトップカバー３０のモデルを用いることにより、ディスク回転部４０により回転される光ディスク１００に付与される浮上力のシミュレーションを行った際における光ディスク１００の上側の表面近傍の圧力の分布を示した図である。また、図９は、第２実施例によるトップカバー１３０のモデルを用いることにより、ディスク回転部４０により回転される光ディスク１００に付与される浮上力のシミュレーションを行った際における光ディスク１００の上側の表面近傍の圧力の分布を示した図である。また、図１０は、比較例によるトップカバー２３０のモデルを用いることにより、ディスク回転部４０により回転される光ディスク１００に付与される浮上力のシミュレーションを行った際における光ディスク１００の上側の表面近傍の圧力の分布を示した図である。なお、圧力の分布に施されているハッチングは、ハッチングの密度が大きいほど圧力が小さい。
【００５３】
図８に示すように、第１実施例では、急激に圧力が小さくなる部分が少なく、光ディスク１００の表面全体に渡って比較的大きい圧力が分布していることがわかる。また、第２実施例では、第１実施例と比べて小さい圧力の分布が見られる一方で、圧力の高低（大小）差の激しさを示す分布は見られない。これにより、第１実施例および第２実施例では、光ディスク１００の表面における圧力分布の急激な変化に起因する光ディスク１００の変形が生じるのを抑制することが可能である。
【００５４】
比較例では、突出部２３３と対向する部分における圧力が小さいことがわかる。その一方で、突出部２３３と対向する部分以外の光ディスク１００の外縁部近傍と対向する部分における圧力が大きいことがわかる。すなわち、光ディスク１００の外縁部近傍と対向する部分における圧力の大きさの変化が激しいことがわかる。つまり、比較例では、光ディスク１００の外縁部近傍において変形を生じさせるおそれがあると考えられる。また、比較例では、第１実施例および第２実施例と比べて分布する圧力が低いことがわかる。
【００５５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５６】
たとえば、上記第１および第２実施形態では、突出部の光ディスク側の表面に傾斜部を設けるとともに、傾斜部をディスク回転部の回転方向に沿って光ディスクの表面に対して傾斜させる例について示したが、本発明はこれに限られない。突出部の光ディスク側の表面を光ディスクの表面と略平行な平坦面にしてもよい。
【００５７】
また、上記第１および第２実施形態では、突出部を、平面的に見てディスク回転部の回転中心軸を中心として半径方向の外側に向かって広がる扇形から、円状突出部および円状突出部近傍の部分を取り除くことにより構成した例について示したが、本発明はこれに限られない。突出部を、円状突出部を設けずに、平面的に見てディスク回転部の回転中心軸を中心として半径方向の外側に向かって広がる扇形により構成してもよい。すなわち、突出部を、平面的に見て、正確な扇形形状により構成してもよい。
【００５８】
また、上記第１および第２実施形態では、突出部を、６個設けた例について示したが、本発明はこれに限られない。突出部を、５個以下、または、７個以上設けてもよい。ただし、中心対称に突出部を配置するのが好ましい。
【００５９】
また、上記第１および第２実施形態では、トップカバーを樹脂により形成した例について示したが、本発明はこれに限られない。たとえば、トップカバーを板金により形成するなど、トップカバーを樹脂以外の材料により形成するようにしてもよい。
【００６０】
また、上記第１実施形態では、傾斜部のディスク回転部の回転方向側の端部を、トップカバーの平板部の下面の表面に一致するように構成した例について示したが、本発明はこれに限られない。傾斜部のディスク回転部の回転方向側の端部を、トップカバーの平板部の下面の表面に一致させなくてもよい。
【符号の説明】
【００６１】
１  光ディスク装置（ディスク装置）
３０、１３０  トップカバー（カバー部材）
３１ａ、１３１ａ  下面
３３、１３３  突出部
３３ａ、１３３ａ  壁部（側辺部）
３３ｂ  傾斜部
３３ｃ、１３３ｃ  端部（側辺部）
３３ｄ、１３３ｄ  外周辺部
３４  円状突出部
４０  ディスク回転部（回転部）
１００  光ディスク（ディスク）
【図１】
2011165284.tif 000003
【図２】
2011165284.tif 000004
【図３】
2011165284.tif 000005
【図４】
2011165284.tif 000006
【図５】
2011165284.tif 000007
【図６】
2011165284.tif 000008
【図７】
2011165284.tif 000009
【図８】
2011165284.tif 000010
【図９】
2011165284.tif 000011
【図１０】
2011165284.tif 000012